(57)【要約】【課題】箱の蓋部分に保冷体の保持部を設けたものであるが、シンプルな構成を採用して、保持部に保冷体を容易に保持することが出来る保冷体保持部付蓋を提供する。【解決手段】四角形状の天板の四側の外端縁に下向きの周壁を設けた蓋において、当該周壁２０の内側の一方の相対向する端縁から当該周壁２０に囲まれた天板１の裏面に沿って前折り込み板６及び後折り込み板１１を中央に向けて夫々突設させ、当該相対向した各前折り込み板６及び後折り込み板１１の内側に保冷体Ｂの両側部を差し入れて当該各前折り込み板６及び後折り込み板１１で挟持し、上面が開口した箱本体に被せることとした。【選択図】図１
0003138543.tif 000002
【実用新案登録請求の範囲】
【請求項１】
四角形状の天板の四側の外端縁に下向きの周壁を設けた蓋において、
当該周壁の内側の一方の相対向する端縁から当該周壁に囲まれた天板の裏面に沿って板状体を中央に向けて夫々突設させ、当該相対向した各板状体の内側に保冷体の両側部を差し入れて当該各板状体で挟持し、上面が開口した箱本体に被せることを特徴とする、保冷体保持部付蓋。
【請求項２】
紙製部材によって、
四角形状の天板の四側の各外端縁に折り目を介して、前側板、後側板、左側板及び右側板を夫々設け、これらの各側板の外端縁に折り目を介して前内側板、後内側板、左内側板及び右内側板を夫々設け、これらの各内側板の外端縁に折り目を介して前折り込み板、後折り込み板、左折り込み板及び右折り込み板を設け、
各折り目により各側板を前記天板裏面上に折り込んで、当該天板の四側の外端縁に下向きの周壁を設け、各折り込み板を前記天板裏面上に夫々折り込み、さらに、一方の相対向する各折り込み板を他方の相対向する各折り込み板によって当該天板裏面上に係止固定し、
当該他方の相対向する各折り込み板の内側に保冷体の両側を差し入れて当該各折り込み板で挟持し、上面が開口した箱本体に被せることを特徴とする、保冷体保持部付蓋。
【請求項３】
前記相対向する各板状体、又は前記他方の相対向する各折り込み板で両側部を挟持された保冷体の下に板体を渡して当該相対向する各板状体、又は相対向する各折り込み板の内側に前記板体の両端を差し入れて係止し、前記保冷体を支持することを特徴とする、前記請求項１又は２に記載の保冷体保持部付蓋。
【考案の詳細な説明】
【技術分野】
【０００１】
この考案は、菓子店等において、菓子やその他の食品等の持ち運びに使用される箱やケースの蓋に関するものであって、特に、当該箱等内部の温度の上昇を防ぐ保冷体の保持部を設けた蓋に関するものである。
【背景技術】
【０００２】
従来、洋菓子店において、ケーキなどの生菓子を販売する際、持ち運びに便利な紙製の組立て紙箱（以下、「紙箱」と言う。）を使用している。この様な紙箱においては、気温が上がる夏場はもちろん、冬であっても、多くの場所で暖房が行われているため、生ものであるケーキ等が傷まないように、当該紙箱内に保冷体を収納するスペースを設け、当該スペースに保冷体を入れて、当該紙箱内の温度が上昇するのを防ぐようにしている。
【０００３】
前記保冷体の収納スペースは収納物に邪魔にならず、かつ保冷体が前記スペースから逸脱しないようにしなければならない。また、冷気は下方へ行くため、紙箱の上部に設けたほうが効率が良い。
【０００４】
この様な中、紙箱の蓋に保冷体を保持する構成を有するものが有る。すなわち、当該紙蓋を形成する折り込み平板の先端縁を他方の折り込み片と天板との間に挿入して係止させ、当該折り込み平板と天板とで保冷体収納部を形成するものである。
【特許文献１】特開２００７−１３７４９５号公報
【考案の開示】
【考案が解決しようとする課題】
【０００５】
しかしながら、前記紙蓋は、折り込み側板や折り込み片を多く設け、これらを折り込んで形成するものであり、構成が複雑で、製造の際に時間と費用がかかり、また、組立ての際にも手間がかかる。
【０００６】
この考案は、この様な状況に鑑みてなされたもので、箱の蓋部分に保冷体の保持部を設けたものであるが、シンプルな構成を採用して、保持部に保冷体を容易に保持することが出来る保冷体保持部付蓋を提供して前記課題を解決するものである。
【課題を解決するための手段】
【０００７】
請求項１の考案は、四角形状の天板の四側の外端縁に下向きの周壁を設けた蓋において、当該周壁の内側の一方の相対向する端縁から当該周壁に囲まれた天板の裏面に沿って板状体を中央に向けて夫々突設させ、当該相対向した各板状体の内側に保冷体の両側部を差し入れて当該各板状体で挟持し、上面が開口した箱本体に被せる保冷体保持部付蓋とした。
【０００８】
請求項２の考案は、紙製部材によって、四角形状の天板の四側の各外端縁に折り目を介して、前側板、後側板、左側板及び右側板を夫々設け、これらの各側板の外端縁に折り目を介して前内側板、後内側板、左内側板及び右内側板を夫々設け、これらの各内側板の外端縁に折り目を介して前折り込み板、後折り込み板、左折り込み板及び右折り込み板を設ける。
【０００９】
また、各折り目により各側板を前記天板裏面上に折り込んで、当該天板の四側の外端縁に下向きの周壁を設け、一方の相対向する各折り込み板を前記天板裏面上に折り込んだ後、当該一方の相対向する各折り込み板の端縁の上に、他方の相対向する各折り込み板の端縁を重ねる。
【００１０】
さらに、当該他方の相対向する各側板と内側板を貼着し、又は当該他方の相対向する各折り込み板の夫々の一部を前記天板裏面上に貼着して前記一方の相対向する各折り込み板を他方の相対向する各折り込み板に係止し、当該他方の相対向する各折り込み板の内側に保冷体の両側を差し入れて当該各折り込み板で挟持し、上面が開口した箱本体に被せる保冷体保持部付蓋とした。
【００１１】
請求項３の考案は、前記相対向する各板状体、又は前記他方の相対向する各折り込み板で両側部を挟持された保冷体の下に板体を渡して当該相対向する各板状体、又は相対向する各折り込み板の内側に前記板体の両端を差し入れて係止し、前記保冷体を支持する前記請求項１又は２に記載の保冷体保持部付蓋とした。
【考案の効果】
【００１２】
請求項１、２又は３の各考案によれば、蓋の裏面に設けた相対向する板状体又は折り込み板の内側に保冷体の両側部を差し入れて挟持するので、簡単に、蓋の裏面に保冷体を保持することが出来、便利である。また、保冷体の両側部を挟持するので、当該保冷体の中央部は露出しており、紙箱、ケースなどの収納容器内の空間を効果的に冷やすことが出来る。さらに、蓋なので、上面が開口した紙箱、ケースなど他の収納容器に使用することが出来、この蓋を用いるだけで、容易に保冷体付の収納容器となる。
【００１３】
請求項２の考案によれば、シンプルな構成の紙製の蓋としたので、保冷体の保持に当たって、折り込み板を柔軟に動かすことが出来、また、一旦、保冷体を保持した後はむやみに保冷体が外れることが無く、便利である。保冷体を保持した蓋としては、信頼性の高いものである。
【００１４】
請求項３の考案によれば、前記相対向する各板状体等で挟持された保冷体の下に板体を渡して当該板体の両端部を当該各板状体等の内側に差し入れて係止したので、相対向する各板状体等が短い場合や保冷体からの水滴により当該板状体等が柔らかくなった時に、保持している保冷体が落下し難くなり、保冷体を保持する蓋としては、信頼性の高いものである。
【考案を実施するための最良の形態】
【００１５】
四角形状の天板の四側の外端縁に下向きの周壁を設けた蓋において、当該周壁の内側の一方の相対向する端縁から当該周壁に囲まれた天板の裏面に沿って板状体を中央に向けて夫々突設させ、当該相対向した各板状体の内側に保冷体の両側部を差し入れて当該各板状体で挟持し、上面が開口した箱本体に被せる。これにより、簡単に、蓋の裏面に保冷体を保持することが出来る。
【実施例１】
【００１６】
以下、この考案の実施例を図に基づいて説明する。
図１は、この考案の実施例の保冷体保持部付蓋の相対向する前折り込み板と後折り込み片の内側に保冷体を差し入れて挟持している蓋を裏返した状態の斜視図である。図２は、同保冷体保持部付蓋の展開図である。図３は、同保冷体保持部付蓋を裏返した状態の斜視図である。
【００１７】
この実施例の保冷体保持部付蓋Ａを説明する。図２に示すように、紙製の長方形状の天板１の前端縁に折り目ａを介して、細長の前側板２を設け、この前側板２の左右の端縁に折り目ｂを介して略三角形状の折り込み片３を夫々設けている。
【００１８】
前側板２の前端縁に折り目ｃを介して細長の前内側板４を設け、この前内側板４の左右の端縁に折り目ｄを介して略三角形状の折り込み片５を夫々設けている。また、前内側板４の前端縁に折り目ｅを介して、左右の横幅が一段狭く、前記前側板２や前内側板４と比べやや大きい長方形状の前折り込み板６を設けている。この前折り込み板６は前記折り目ｅから一定長離れるとさらに一段狭く設けられている。
【００１９】
前記天板１の後端縁にも、前記前端縁と同様に、折り目ｆを介して、細長の後側板７を設け、この後側板７の左右の端縁に折り目ｇを介して略三角形状の折り込み片８を夫々設けている。
【００２０】
後側板７の後端縁に折り目ｈを介して細長の後内側板９を設け、この後内側板９の左右の端縁に折り目ｉを介して略三角形状の折り込み片１０を夫々設けている。また、後内側板９の後端縁に折り目ｊを介して、左右の横幅が一段狭く、前記後側板７や後内側板９と比べやや大きい長方形状の後折り込み板１１を設けている。この後折り込み板１１は前記折り目ｊから一定長離れるとさらに一段狭く設けられている。
【００２１】
前記天板１の左端縁には、折り目ｋを介して、細長の左側板１２を設け、この左側板１２の前後の端縁に折り目ｌを介して三角形状の折り込み片１３を夫々設けており、これらの折り込み片１３は、前記前側板２の折り込み片３及び前記後側板７の折り込み片８と一個所で夫々折曲自在に接続されている。また、前記左側板１２の左端縁に折り目ｍを介して左内側板１４を設け、この左内側板１４の左端縁に折り目ｎを介して左折り込み板１５を設けている。この左折り込み板１５の左端縁は前後の端縁を一部切り欠いて中央部を中心に緩やか山型となっている。
【００２２】
前記天板１の右端縁にも、折り目ｏを介して、細長の右側板１６を設け、この右側板１６の前後の端縁に折り目ｐを介して三角形状の折り込み片１７を夫々設けており、これらの折り込み片１７は、前記前側板２の折り込み片３及び前記後側板７の折り込み片８と一個所で夫々折曲自在に接続されている。また、前記右側板１６の右端縁に折り目ｑを介して右内側板１８を設け、この右内側板１８の右端縁に折り目ｒを介して右折り込み板１９を設けている。この右折り込み板１９の右端縁は前後の端縁を一部切り欠いて中央部を中心に緩やか山型となっている。
【００２３】
各折り目により各側板を天板１の裏面上に折り込んで、図３に示すように、この天板１の四側の外端縁に周壁２０を設ける。ここで、一方の相対向する左折り込み板１５、右折り込み板１９を天板１裏面上に折り込んだ後、当該左折り込み板１５、右折り込み板１９の前後の各端縁の上に、予め、前記前側板２と前内側板４を貼着した前折り込み板６、及び後側板７と後内側板９を貼着した後折り込み板１１の左右の各端縁を重ね、左折り込み板１５、右折り込み板１９の前後の各端縁を前折り込み板６、後折り込み板１１の左右の各端縁に係止する。
【００２４】
この後、図１に示すように、当該相対向する前折り込み板６、後折り込み板１１の内側に保冷体Ｂの両側部を差し入れて当該前折り込み板６、後折り込み板１１で挟持し、上面が開口した箱本体に被せる（図示省略）。
【実施例２】
【００２５】
図４は、この考案の実施例２の保冷体保持部付蓋Ａ´の相対向する前折り込み板６、後折り込み板１１の内側に保冷体Ｂの両側部を差し入れて挟持し、さらに、その下から長方形状の板体を渡し、当該蓋を裏返した状態の斜視図である。
【００２６】
前記図４に示すように、保冷体Ｂの挟持の補強として、前記前折り込み板６、後折り込み板１１で両側部を挟持された保冷体Ｂの下に長方形状の板体２１を渡して当該相対向する前折り込み板６、後折り込み板１１の内側に板体２１の両端部を差し入れて係止し、前記保冷体Ｂを落下し難くすることもできる。他の構成は全て前記実施例１と同様である。
【００２７】
前記実施例では、この保冷体保持部付蓋Ａを紙製としたが、この保冷体保持部付蓋Ａは、紙製に限らず、例えば、プラスチックなどから成るものでも良い。その場合、例えば、保冷体保持部付蓋Ａの四側の周壁２０を形成する一方の相対向する周壁２０の先端縁を延長して周壁２０で囲まれた面方向に折り返し、そのまま当該面に沿って一定長さらに伸ばして可撓性の有るフラップを形成するようにして当該箇所に保冷体の保持部を形成する（図示省略）。
【００２８】
前記実施例では、前記前側板２と前内側板４、後側板７と後内側板９を夫々貼着しているが、これに代えて、当該相対向する前折り込み板６と後折り込み板１１の夫々の一部を前記天板１に貼着して前折り込み板６、後折り込み板１１を固定するようにしても良い。
【００２９】
さらに、貼着に代えて、左折り込み板１５及び右折り込み板１９と、前折り込み板６及び後折り込み板１１の接触する各端縁を相互に係止させることも出来る（図示省略）。
【００３０】
また、前記実施例２では、前折り込み板６、後折り込み板１１に挟持された保冷体Ｂの補強として、当該挟持された保冷体Ｂの下に長方形状の板体２１を差し入れているが、板体としては長方形状に限るものではなく、保冷体Ｂの落下防止に供せる形状ならばよい。
【図面の簡単な説明】
【００３１】
【図１】この考案の実施例１の保冷体保持部付蓋の相対向する前折り込み板と後ろ折り込み板の内側に保冷体を差し入れて挟持している蓋を裏返した状態の斜視図である。
【図２】この考案の実施例１の保冷体保持部付蓋の展開図である。
【図３】この考案の実施例１の保冷体保持部付蓋を裏返した状態の斜視図である。
【図４】この考案の実施例２の保冷体保持部付蓋の相対向する各折り込み片の内側に保冷体を差し入れ挟持し、さらに、その下から長方形状の板体を渡し、当該蓋を裏返した状態の斜視図である。
【符号の説明】
【００３２】
Ａ    保冷体保持部付蓋              Ａ´  保冷体保持部付蓋
Ｂ    保冷体
１    天板                          ２    前側板
３    折り込み片                    ４    前内側板
５    折り込み片                    ６    前折り込み板
７    後側板                        ８    折り込み片
９    後内側板                    １０    折り込み片
１１    後折り込み板                １２    左側板
１３    折り込み片                  １４    左内側板
１５    左折り込み板                １６    右側板
１７    折り込み片                  １８    右内側板
１９    右折り込み板                ２０    周壁
２１    板体
【図１】
0003138543.tif 000003
【図２】
0003138543.tif 000004
【図３】
0003138543.tif 000005
【図４】
0003138543.tif 000006